(57)【要約】      （修正有）【課題】どんな寝室環境にも設置可能で、熟睡のためのエアーコントロールふとんへの送風機能を有した無音の全対応暖房送風機の提供。【解決手段】音の直進性を逆に利用し９０°の曲りの多いエアー通路を作り、吸音板を張って吸音すると共に消音室２１を設け、シロツコフアン１５の風切り音を無音化した。吸入口閉塞防止バー穴８を２ヶ所、和室設置用脚穴９を２ヶ所、ベット底部設置用脚穴１０を２ヶ所、逆設置用脚穴１１を２ヶ所を設けて、どんな寝室環境にも設置可能とした。エアコントロールふとんへは、エアー溜２２で温風が均一化された大送風口、小送風口より均一な温風を送風するようにした。【選択図】図１４
2008161636.tif 000002
【特許請求の範囲】
【請求項１】
掛ふとん敷ふとん内に温風を流し熟睡出来る環境を作るエアーコントロールふとんの送風機より発する騒音が吸気口２３より機外に出る道中で無音化する発明で、シロツコフアン１５より風切音が発生し▲イ▼第１吸音板に垂直に当り吸気口２３の方向に進み、次々と▲ロ▼第２吸音板、▲ハ▼第３吸音板、▲ニ▼第４吸音板、▲ホ▼第５吸音板、▲ヘ▼第６吸音板と進む間ほとんど騒音は減少する。この間音は各吸音板に垂直に当り吸収する。
本発明は▲ホ▼第５吸音板まで５回以上垂直曲折して消音室２１に達し、さらに▲ト▼第７吸音板と▲チ▼第８吸音板を通過する際、ジグザグな進行で音と音との干渉で無音化し消音室を経て全て消滅させることを特徴とした送風機
【請求項２】
請求項１の記載のエアーコントロールふとん用送風機の、送風機上カバー１と送風機下カバー３とに［図１５］の送風機設置用脚６の取付穴で吸入口閉塞防止バー脚穴８を２ヶ所、和室設置用脚穴９を２ヶ所、ベット底部設置用脚穴１０を２ヶ所、逆設置用脚穴１１  ２ヶ所をそなへた全対応可能を特徴とした送風機。
【請求項３】
請求項１に記載の送風機において、シロツコフアンカバー１６の大送風口４と小送風口５との接続部に［図４］［図１４］に示すエアー溜２２を設けて、大送風口４と小送風口５に均一な温風を送風することを特徴とした送風機。
【請求項４】
請求項１に記載の送風機において、大送風口４、小送風口５をほゞ水平に設置したことを特徴とする送風機。
【発明の詳細な説明】
【技術分野】健康福祉用寝具
【背景技術】ふとん乾燥機
【発明の開示】
特許願２０００−１１３１５９エアーコントロールふとんにおける温風送風機を平成１２年４月１４日に出願しました。
その後、試作機を１台作り各医学界の先生１０人余の意見や指導により毎日試作データーを発明者が測定し春夏秋冬の四季を通じ使用可能に改良を進めた結果、寝床内温度、湿度は理想の３２℃±１℃４０％±５％で最低湿度２０％までは理想的熟睡環境であることが体験により立証され、６年余の日時を要したのも室内温度、湿度は四季一定で無く、この條件を満す寝具の発明に多くの時間がかゝり今日になりました。
この商品は介護用、床ずれ予防を目的にスタートしましたが、熟睡出来る評価を能波の測定で阪大医学博士杉田教授の証明で立証され、全ての人の睡眠不足を解結することも重要と考へる様になりました。
その第一難関は無音送風機の開発であり、全使用環境での対応であり、掛ふとん、敷ふとんに送られる送風温度が同温あること、この三点を満足することが、全ての人に使用していたゞける要件で、この点を解決しなければ普及はしないと考へました。
この三点を解決するのが本発明であり特許出願することになりました。
【発明が解決しようとする課題】
全ての人の健康の基本は、食事運動睡眠にあります。人生１／３の睡眠こそ活力の源泉であります。熟睡の第一條件は無音であること。これを解決するのが本発明の第１の課題です。
第２の課題は全ての寝室環境が異ることであり洋室、和室、病院、ホテル等、同一な設置で対応出来ない。この課題を解決する発明である。
第３に熟睡するには寝床内が、３２℃±１℃が條件でありその為には掛ふとん、敷ふとんに送風される温度は一定でなければ熟睡出来ない。この課題を解決する発明であります。
【課題を解決するための手段】
無音送風機を作る手段は、音発生源のシロツコフアン１５の回転による風切り音が吸気口２３より出ることを防ぐことである。
【０００１】この手段は音は直進する為直進する前面に図１４に示す▲イ▼第１吸音板を設けて吸音する。音は９０°横に進み▲ロ▼第２吸音板でさらに吸音され▲ハ▼第３吸音板でさらに吸音、▲ニ▼第４吸音板でさらに吸音されて、▲ホ▼第５吸音板で音はほとんと消えるが病院個室では
【０００２】４人で一室で４台使用時さらに完全無音送風機が求められる。その為さらなる消音の出来る消音室２１［図５］の音と音とがジグザグに進み互に消し合う様▲ト▼第７吸音板と、▲チ▼第８吸音板［図５］［図１４］に示す様に作り消音室２１で完全無音にする。
シロツコフアンの発生音がより高い音が発生する風量風速が必要な時は、▲ト▼第７吸音板▲チ▼第８吸音板を増設することにより完全無音化が出来る。
この様な手段で完全無音送風機が出来るのである。
【０００３】第２の課題である全ての寝室環境に設置出来ることが重要であり、設置に行って、この室では設置出来ないと言うことでは全ての人に対応出来ない。
この為、本発明は［図７］〜［図１３］の全ての環境に対応出来る様発明しました。
［図１５］送風機設置用脚６、を使用して［図３］［図４］の吸入口閉塞防止カバ脚穴８、和室設置用脚穴９、ベット底部設置用脚穴１０、逆設置用脚穴１１、を全て送風機に作りました。
この使用方法は［図７］〜［図１３］に示す様に使用します。［図１０］［図１２］は部品の追加は必要ですが送風機の取付穴は全て使用出来ます。
以上の様に第２の課題は上記の手段で全て解決します。
【０００４】第３の課題は熟睡するには、掛ふとんと敷ふとん内に同じ温度の送風をする必要が有ります、本課題を解決する手段として［図４］、［図１４］に示す様に、エアー溜２２を作り特に［図４］で示すエアー溜２２の様に小送風口５、大送風口４に平行した横長のエアー溜２２を作る必要が有ります。
又送風口に、大小を作るのは掛ふとん、敷ふとんに送風する送風量が使用目的により異ります。寝たきりの人は敷ふとんに大送風口４を接続、掛に小送風口を接続します。
この理由は寝たきりの人は背の面の汗が溜り４８時間で敷ふとんの湿度が９９％になり床ずれの発生原因になります。これを防止する為、敷ふとんに多量のエアー送るのです。
【０００５】健康な普通生活の人は夏期、掛ふとんに大送風口４を接続し、室温２９℃〜３０℃の自然温のエアーを羽毛１３０ｇ入の送風路付掛ふとんに送風すると汗を寝床内より排出して夏期でも夏風をひかずに健康な生活が出来るので、その人その人の好みと環境に応じて使用方法を選ぶことにより第３の課題を解決する。
【発明の効果】
第１の課題は熟睡する為には送風機の音を０にすることですが必要な送風量を得るにはシロツコフアン１５より風切り音が発生する。この発生音が睡眠の阻害要因の第一である。エアーコントロールふとんは、寝床内温度を３２℃±１℃を四季を通じて、室温５℃〜２９℃までの間理想熟睡環境を実現することに成功しました。しかし無音の送風機は、いまだ出来ていません。この無音送風機の発明により、病院での２人室、４人室等で、利用出来る様になったのです。
【０００６】第２の課題は全ての環境で設置出来ることである。
［図７］〜［図１３］の全ての環境で設置出来ることを示す図で一部小部品を準備すれば、全て対応出来る効果が有ります。
【０００７】第３の課題は掛ふとん、敷ふとん、に同じ温度のエアーを送ること、使用する人によりその目的が異り寝たきりの人は敷ふとんの乾燥を求め、健常者は四季を通じて使用出来ることを求めます。それから求めに応じた送風量のちがいを大送風口４、小送風口５を作り全ての使用目的をかなへる為に発明されました。
全ての人に満足いたゞける効果が有ります。
【発明を実施するための最良の形態】
【０００８】［図７］、［図１３］の示す様なエアーコントロールふとんの送風機に関する発明で、［図３］で示す、送風機基板２にモーター防振ゴム１３をはさんでシロツコフアン１５をセットする。次に［図４］で示す位置にヒーター室１７を断熱材をはさんでセットする。次にシロツコフアンカバー１６を、シロツコフアン１５とヒーター室１７をかぶせて送風機基板に取付ける。シロツコフアンカバー１６の先は、小送風口５、大送風口４に接続し、その部分に、エアー溜２２を作り小送風口５、大送風口４の横列びの送風口と接続する。
大小送風口は、送風機基板にジャバラ管のピッチに合せたネシ山を作り、そのネシ山に大小ジャバラ管をネジをしめる様に取付けて大送風口４、小送風口５をセットスル、【０００９】送風機基板の左端は［図４］で示す様に、フイルターケースの入る穴を設ける。
送風機上カバー１の内面に、シロツコフアン１５の対面に、▲イ▼第１吸音板を張る。逆設置用脚穴１１を２ヶ所、吸入口閉塞防止脚穴８を２ヶ所［図１４］［図２］で示す位置に作る。
送風機上カバの左端には［図３］［図４］で示す様にフイルターケース２４の入る穴を設ける。【００１０】［図１４］のフイルターケース２４の下部に消音室２１を作り最終消音をする為、▲ト▼第７吸音板には両面に吸音材を張る。第８吸音板にも両面に吸音材を張り完璧な消音をする。▲ト▼第７吸音板と▲チ▼第８吸音板は［図５］で示す様にジグザグ状に設けられている為、音は直進出来ずそれぞれの吸音材に吸音されて音は消滅するのである。
さらに［図１４］で示す様に、フイルターケース２４の側面に▲ロ▼第２吸音板、▲ニ▼第４吸音板を張る。
上記の組み立てられたフイルターケース２４を送風機上カバー１にセントスル際、▲ハ▼第３吸音板を先に張ることを忘れないで張る。【００１１】送風機下カバ３には▲ホ▼▲ヘ▼第５、６吸音板を内面に［図１４］で示す様に張り、和室設置用脚穴９を２ヶ所ベット底部設置用脚穴１０を２ヶ所作り送風機基板に下面より取付て無音、全対応暖房送風機が出来上ります。
【実施例】［図７］は普通ベットに設置して敷ふとん、掛ふとんのエアーコントロールふとんにセットした実施例
［図８］は、ホテルで敷ふとんが無い、ベットパットの上に除湿マットを敷き、その上からカバを掛けた簡易セットで、美観を重じるホテルの希望のセット
送風口の一方はキャップで閉じてある
［図９］はホテルのベットの底に高さの無い時、箱に入れ、吸気口を下向にした実施例
［図１０］はベットで足部に板がついている時のセット実施例で別部品が必要です。
［図１１］病院の４人室でカーテン間仕切室に介護用ベットにセットした実施例で、吸入口閉塞防止カバー７をセットした図
［図１２］は和室４畳半の室にセットして送風機の設置位置の無い時の実施例で一部小部品４点が必要ですが設置加能な実施例
［図１３］は和室にセットした理想的掛敷セットの基本実施例
【産業上の利用可能性】（１）．睡眠不足で苦しんでいる人が２０％もいる時代です。交通事故、医療ミス、事務の低下、高令化時代で寝床生活者の増加等その損害は新聞報道では米国で５兆円とも報しられ、日本でも数兆円の損害とも言われています。
（２）人の命をあづかる、バス、航空機  電車、新幹線等の運転者の睡眠不足による、事故は毎日報じられています。これらの人は絶対必需品です。
（３）病院患者で医療は医師が近代技術で完成されつゝありますが、病気回復は自力の体力で完治するのです。その重要な要素は食事、運動、睡眠に有ると信じます。
（４）全ての会社が社員に使用を実行すれば事業の発展に大きく寄与すると信じます。
以上の様に全ての産業に、全ての人に利用可能です。
【図面の簡単な説明】
【００１２】
【図１】送風機の側面図
【図２】送風機の正面図
【図３】送風機の透視側面図
【図４】送風機の透視正面図
【図５】は［図３］のＡ〜Ａ断面図
【図６】は［図３］のＢ〜Ｂ断面図
【００１３】
【図７】普通ベットに掛、敷セットの基本エアーコントロールふとんのセット断面図
【図８】美観を求めるホテル用セットの断面図
【図９】美観を求めるホテル用でベットの底が低い際のセットの断面図
【図１０】ベットの足部板が固定のベットに一部部品を追加してセットした断面図
【図１１】病室でカーテン間仕切の際、カーテンが吸込まない様にした、吸入口閉塞防止バーを取付た断面図
【図１２】４．５畳の室に送風機の設置位置の無い時、一部部品を追加してセットした断面図
【図１３】和室にセットした基本商品の断面図
【符号の説明】
１．送風機上カバー          ２．送風機基板              ３．送風機下カバー
４．大送風口                ５．小送風口                ６．送風機設置用脚
７．吸入口閉塞防止バー      ８  吸入口閉塞防止バー脚穴  ９．和室設置用脚穴
１０  ベット底部設置用脚穴  １１  逆設置用脚穴          １２．手持ち凹
１３  モーター防振ゴム      １４  可変速モーター        １５．シロツコフアン
１６  シロツコフアンカバー  １７．ヒーター室            １８  フイルター
１９  電子制御室            ２０  病室間仕切カーテン    ２１  消音室
２２  エアー溜              ２３  吸気口                ２４  フイルターケース
【００１３】▲イ▼  第１吸音板          ▲ロ▼  第２吸音板          ▲ハ▼  第３吸音板
▲ニ▼  第４吸音板          ▲ホ▼  第５吸音板          ▲ヘ▼  第６吸音板
▲ト▼  第７吸音板          ▲チ▼  第８吸音板
【図１】
2008161636.tif 000003
【図２】
2008161636.tif 000004
【図３】
2008161636.tif 000005
【図４】
2008161636.tif 000006
【図５】
2008161636.tif 000007
【図６】
2008161636.tif 000008
【図７】
2008161636.tif 000009
【図８】
2008161636.tif 000010
【図９】
2008161636.tif 000011
【図１０】
2008161636.tif 000012
【図１１】
2008161636.tif 000013
【図１２】
2008161636.tif 000014
【図１３】
2008161636.tif 000015
【図１４】
2008161636.tif 000016
【図１５】
2008161636.tif 000017
【手続補正書】
【提出日】平成19年4月17日(2007.4.17)
【手続補正１】
【補正対象書類名】明細書
【補正対象項目名】全文
【補正方法】変更
【補正の内容】
【発明の詳細な説明】
【技術分野】健康福祉用寝具
【背景技術】ふとん乾燥機
【発明の開示】
特許願  ２０００−１１３１５９  エアーコントロールふとんにおける温風送風機を平成１２年４月１４日に出願しました。
その後、試作機を１台作り各医学界の先生１０人余の意見や指導により毎日試作データーを発明者が測定し春夏秋冬の四季を通じ使用可能に改良を進めた結果、寝床内温度、湿度は理想の３２℃±１℃  ４０％±５％で最低湿度２０％までは理想的熟睡環境であることが体験により立証され、６年余の日時を要したのも室内温度、湿度は四季一定で無く、この條件を満す寝具の発明に多くの時間がかゝり今日になりました。
この商品は介護用、床ずれ予防を目的にスタートしましたが、熟睡出来る評価を能波の測定で阪大医学博士杉田教授の証明で立証され、全ての人の睡眠不足を解結することも重要と考へる様になりました。
その第一難関は無音送風機の開発であり、全使用環境での対応であり、掛ふとん、敷ふとんに送られる送風温度が同温あること、この三点を満足することが、全ての人に使用していたヾける要件で、この点を解決しなければ普及はしないと考へました。
この三点を解決するのが本発明であり特許出願することになりました。
【発明が解決しようとする課題】
2008161636.tif 000018
ります。熟睡の第一條件は無音であること。これを解決するのが本発明の第１の課題です。
第２の課題は全ての寝室環境が異ることであり洋室、和室、病院、ホテル等、同一な設置で対応出来ない。この課題を解決する発明である、
第３に熟睡するには寝床内が、３２℃±１℃が條件でありその為には掛ふとん、敷ふとんに送風される温度は一定でなけれは熟睡出来ない。この課題を解決する発明であります。
【課題を解決するための手段】
無音送風機を作る手段は、音発生源のシロツコフアン１５の回転による風切り音が吸気口２３より出ることを防ぐことである。
【０００１】この手段は音は直進する為直進する前面に図１４に示す▲イ▼第１吸音板を設けて吸音する。音は９０°横に進み▲ロ▼第２吸音板でさらに吸音され▲ハ▼第３吸音板でさらに吸音、▲ニ▼第４吸音板でさらに吸音されて、▲ホ▼第５吸音板で音はほとんと消えるが病院個室では
【０００２】４人で一室で４台使用時さらに完全無音送風機が求められる。その為さらなる消音の出来る消音室２１［図５］の音と音とがジクザクに進み互に消し合う様▲ト▼第７吸音板と、▲チ▼第８吸音板［図５］［図１４］に示す様に作り消音室２１で完全無音にする。
シロツコフアンの発生音がより高い音が発生する風量風速が必要な時は、▲ト▼第７吸音板▲チ▼第８音吸音板を増設することにより完全無音化が出来る。
この様な手段で完全無音送風機が出来るのである。
【０００３】第２の課題である全ての寝室環境に設置出来ることが重要であり、設置に行って、この室では設置出来ないと言うことでは全ての人に対応出来ない。
この為、本発明は［図７］〜［図１３］の全ての環境に対応出来る様発明しました。
［図１５］送風機設置用脚６、を使用して［図３］［図４］の吸入口閉塞防止カバ脚穴８、和室設置用脚穴９、ベツト底部設置用脚穴１０、逆設置用脚穴１１、を全て送風機に作りました。
この使用方法は［図７］〜［図１３］に示す様に使用します。［図１０］［図１２］は部品の追加は必要ですが送風機の取付穴は全て使用出来ます。
以上の様に第２の課題は上記の手段で全て解決します。
【０００４】第３の課題は熟睡するには、掛ふとんと敷ふとん内に同じ温度の送風をする必要が有ります、本課題を解決する手段として［図４］、［図１４］に示す様に、エアー溜２２を作り特に［図４］で示すエアー溜２２の様に小送風口５、大送風口４に平行した横長のエアー溜２２を作る必要が有ります。
又送風口に、大小を作るのは掛ふとん、敷ふとんに送風する送風量が使用目的により異ります。寝たきりの人は敷ふとんに大送風口４を接続、掛に小送風口を接続します。
この理由は寝たきりの人は背の面の汗が溜り４８時間で敷ふとんの湿度が９９％になり床ずれの発生原因になります。これを防止する為、敷ふとんに多量のエアー送るのです。
【０００５】健康な普通生活の人は夏期、掛ふとんに大送風口４を接続し、室温２９℃〜３０℃の自然温のエアーを羽毛１３０ｇ入の送風路付掛ふとんに送風すると汗を寝床内より排出して夏期でも夏風をひかずに健康な生活が出来るので、その人その人の好みと環境に応じて使用方法を選ぶことにより第３の課題を解決する。
【発明の効果】
第１の課題は熟睡する為には送風機の音を０にすることですが必要な送風量を得るにはシロツコフアン１５より風切り音が発生する。この発生音が睡眠の阻害要因の第一である。エアーコントロールふとんは、寝床内温度を３２℃±１℃を四季を通じて、室温５℃〜２９℃までの間理想熟睡環境を実現することに成功しました。しかし無音の送風機は、いまだ出来ていません。この無音送風機の発明により、病院での２人室、４人室等で、利用出来る様になったのです。
【０００６】第２の課題は全ての環境で設置出来ることである。
［図７］〜［図１３］の全ての環境で設置出来ることを示す図で一部小部品を準備すれば、全て対応出来る効果が有ります。
【０００７】第３の課題は掛ふとん、敷ふとん、に同じ温度のエアーを送ること、使用する人によりその目的が異り寝たきりの人は敷ふとんの乾燥を求め、健常者は四季を通じて使用出来ることを求めます。それらの求めに応じた送風量のちがいを大送風口４、小送風口５を作り全ての使用目的をかなへる為に発明されました。
全ての人に満足いたゞける効果が有ります。
【発明を実施するための最良の形態】
【０００８】［図７］、［図１３］の示す様なエアーコントロールふとんの送風機に関する発明で、［図３］で示す、送風機基板２にモーター防振ゴム１３をはさんでシロツコフアン１５をセツトする。次に［図４］で示す位置にヒーター室１７を断熱材をはさんでセツトする。次にシロツコフアンカバー１６を、シロツコフアン１５とヒーター室１７をかぶせて送風機基板に取り付る。シロツコフアンカバー１６の先は、小送風口５、大送風口４に接続し、その部分に、エアー溜２２を作り小送風口５、大送風口４の横列びの送風口と接続する。
大小送風口は、送風機基板にジヤバラ管のピツチに合わせたネシ山を作り、そのネシ山に大小ジヤバラ管をネジをしめる様に取付けて大送風口４、小送風口５をセツトスル、【０００９】送風機基板の左端は［図４］で示す様に、フイルタケースの入る穴を設ける。
送風機上カバー１の内面に、シロツコフアン１５の対面に、▲イ▼第１吸音板を張る。逆設置用脚穴１１を２ケ所。吸入口閉塞防止脚穴８を２ケ所［図１４］［図２］で示す位置に作る。
送風機上カバの左端には［図３］［図４］で示す様にフイルターケース２４の入る穴を設ける。【００１０】［図１４］のフイルターケース２４の下部に消音室２１を作り最終消音をする為、▲ト▼第７吸音板には両面に吸音材を張る。第８吸音板にも両面に吸音材を張り完璧な消音をする。▲ト▼第７吸音板と▲チ▼第８吸音板は［図５］で示す様にジクザク状に設けられている為、音は直進出来ずそれぞれの吸音材に吸音されて音は消滅するのである。
さらに［図１４］で示す様に、フイルターケース２４の側面に▲ロ▼第２吸音板、▲ニ▼第４吸音板を張る。
上記の組立てられたフイルタケース２４を送風機上カバー１にセントスル際、▲ハ▼第３吸音板を先に張ることを忘れないで張る。【００１１】送風機下カバ３には▲ホ▼▲ヘ▼第５、６吸音板を内面に［図１４］で示す様に張り、和室設置用脚穴９を２ケ所ベツト底部設置用脚穴１０を２ケ所作り送風機基板に下面より取付て無音、全対応暖房送風機が出来上ります。
【実施例】［図７］は普通ベツトに設置して敷ふとん、掛ふとんのエアーコントロールふとんにセツトした実施例
［図８］は、ホテルで敷ふとんが無い、ベツトパツトの上に除湿マツトを敷き、その上からカバを掛けた簡易セツトで、美観を重じるホテルの希望のセツト
送風口の一方はキヤツプで閉じてある
［図９］はホテルのベツトの底に高さの無い時、箱に入れ、吸気口を下向にした実施例、
［図１０］はベツトで足部に板がついている時セツト実施例で別部品が必要です。
［図１１］病院の４人室でカーテン間仕切室に介護用ベツトにセツトした実施例で、吸入口閉塞防止バー７をセツトした図
［図１２］は和室４畳半の室にセツトして送風機の設置位置の無い時の実施例で一部小部品４点が必要ですが設置加能な実施例
［図１３］は和室にセツトした理想的掛敷セツトの基本実施例
【産業上の利用可能性】（１）睡眠不足で苦しんでいる人が２０％もいる時代です。交通事故、医療ミス、事務の低下、高令化時代で寝床生活者の増加等その損害は新聞報道では米国で５兆円とも報しられ、日本でも数兆円の損害とも言われています。
（２）人の命をあづかる、バス、航空機電車、新幹線等の運転者の睡眠不足による、事故は毎日報じられています。これらの人は絶対必需品です。
（３）病院患者で医療は医師が近代技術で完成されつゝありますが、病気回復は自力の体力で完治するのです。その重要な要素は食事、運動、睡眠に有ると信じます。
（４）全ての会社が社員に使用を実行すれば事業の発展に大きく寄与すると信じます。
以上の様に全ての産業に、全ての人に利用可能です。
【図面の簡単な説明】
【００１２】
【図１】送風機の側面図
【図２】送風機の正面図
【図３】送風機の透視側面図
【図４】送風機の透視正面図
【図５】は［図３］のＡ〜Ａの断面図
【図６】は［図３］のＢ〜Ｂ断面図
【００１３】
【図７】普通ベツトに掛、敷セツトの基本エアーコントロールふとんのセツト断面図
【図８】美観を求めるホテル用セツトの断面図
【図９】美観を求めるホテル用でベツトの底が低い際のセツトの断面図
【図１０】ベツトの足部板が固定のベツトに一部部品を追加してセツトした断面図
【図１１】病室でカーテン間仕切の際、カーテンが吸込まない様にした、吸込口閉塞防止バーを取付た断面図
【図１２】４．５畳の室に送風機の設置位置の無い時、一部部品を追加してセツトした断面図
【図１３】和室にセツトした基本商品の断面図
【図１４】消音室の透視側面図
【図１５】無音、全対応、暖房送風機スタンド
【符号の説明】
１、送風機上カバー          ２、送風機基板                ３、送風機下カバー
４、大送風口                ５、小送風口                  ６、送風機設置用脚
７、吸入口閉塞防止バー      ８  吸入口閉塞防止バー脚穴    ９、和室設置用脚穴
１０  ベツト底部設置用脚穴  １１  逆設置用脚穴            １２、手持ち凹
１３  モーター防振ゴム      １４  可変速モーター          １５、シロツコフアン
１６  シロツコフアンカバー  １７、ヒーター室              １８  フイルター
１９  電子制御室            ２０  病室間仕切カーテン      ２１  消音室
２２  エアー溜              ２３  吸気口                  ２４  フイルターケース
【００１３】▲イ▼  第１吸音板          ▲ロ▼  第２吸音板            ▲ハ▼  第３吸音板
▲ニ▼  第４吸音板          ▲ホ▼  第５吸音板            ▲ヘ▼  第６吸音板
▲ト▼  第７吸音板          ▲チ▼  第８吸音板